【手続補正書】
【提出日】平成26年4月3日(2014.4.3)
【手続補正１】
【補正対象書類名】明細書
【補正対象項目名】０００７
【補正方法】変更
【補正の内容】
【０００７】
上述した課題を解決するとともに上述した目的を達成するために、請求項ごとの発明では、以下のような特徴ある手段・発明特定事項（以下、「構成」という）を採っている。
請求項１記載の発明は、画像形成装置から受け取ったシートを搬送する搬送手段と、搬送されてくるシートの端面を検知する端面検知手段と、シート搬送方向と直交するシート幅方向へシートをシフト・移動する移動手段と、後処理としてシートに穿孔処理を行う穿孔手段を含む後処理手段とを備えた後処理装置において、前記画像形成装置から受け取るシートの前記シート幅方向の基準位置をセンターとした位置から前記シート幅方向のシート位置の最大ばらつき以上となる距離ずらした位置に、前記穿孔手段を配置し、搬送されてくるシートの端面が前記端面検知手段で検知される検知位置までシフトして搬送し、前記後処理を行うことを特徴とする。
【手続補正２】
【補正対象書類名】明細書
【補正対象項目名】０００８
【補正方法】変更
【補正の内容】
【０００８】
請求項２記載の発明は、請求項１記載の後処理装置において、前記端面検知手段を前記シート幅方向に移動する端面検知移動手段を有し、前記端面検知移動手段を介して、前記端面検知手段を前記検知位置まで移動することを特徴とする。
請求項３記載の発明は、請求項２記載の後処理装置において、シートサイズに応じて前記端面検知手段の移動位置を変えることを特徴とする。
【手続補正３】
【補正対象書類名】明細書
【補正対象項目名】０００９
【補正方法】変更
【補正の内容】
【０００９】
請求項４記載の発明は、請求項１または２記載の後処理装置において、前記端面検知手段を複数のシートの端面の検知位置に応じて複数備えていることを特徴とする。
請求項５記載の発明は、請求項２または４記載の後処理装置において、搬送されてくるシートを前記検知位置までシフトすることを特徴とする。
請求項６記載の発明は、請求項２または４記載の後処理装置において、搬送されてくるシートを前記検知位置から前記シート幅方向へ任意の距離移動させた位置までシフトすることを特徴とする。
【手続補正４】
【補正対象書類名】明細書
【補正対象項目名】００１０
【補正方法】変更
【補正の内容】
【００１０】
請求項７記載の発明は、請求項１記載の後処理装置において、搬送されてくるシートの前記検知位置まで前記移動手段により移動されたシート移動距離を記憶する記憶手段を有し、前記記憶手段からの前記シート移動距離に係る情報に基づいて、シートの前記検知位置までシフトすることを特徴とする。
請求項８記載の発明は、請求項１記載の後処理装置において、シートに各種後処理を実行するための後処理モードに応じて前記シフトを複数回行うことを特徴とする。
【手続補正５】
【補正対象書類名】明細書
【補正対象項目名】００１１
【補正方法】変更
【補正の内容】
【００１１】
請求項９記載の発明は、請求項１ないし８の何れか一つに記載の後処理装置において、シートに各種後処理を実行するための後処理モードにより、シート１枚ごとまたはシート複数枚ごとに前記シフト量を変えることを特徴とする。
請求項１０記載の発明は、請求項１ないし９の何れか一つに記載の後処理装置において、シートのサイズに応じて前記シフト量を変えることを特徴とする。
【手続補正６】
【補正対象書類名】明細書
【補正対象項目名】００１２
【補正方法】変更
【補正の内容】
【００１２】
請求項１１記載の発明は、請求項１ないし１０の何れか一つに記載の後処理装置において、前記後処理として前記穿孔処理を実行する穿孔処理モードが選択された場合、前記シート幅方向の穿孔位置を変えることを特徴とする。
請求項１２記載の発明は、請求項１ないし１１の何れか一つに記載の後処理装置において、シートのサイズに応じて前記穿孔手段による前記シート幅方向の穿孔位置を変えることを特徴とする。
請求項１３記載の発明は、請求項１ないし１２の何れか一つに記載の後処理装置を備えていることを特徴とする画像形成装置である。
ここで、「後処理装置を備えている画像形成装置」とは、文言とおり、画像形成装置が後処理装置を備えている形態を含む他、画像形成装置から排出されるシートを受け取り可能に後処理装置が画像形成装置に連結ないし接続されている形態を含むことを意味する。
【手続補正７】
【補正対象書類名】明細書
【補正対象項目名】００１３
【補正方法】変更
【補正の内容】
【００１３】
本発明によれば、前記構成により、穿孔手段（パンチ装置）の横レジ調整機構を不要にするとともに穿孔手段の構成とその制御とが簡単になり、パンチ穴（穿孔）位置精度を今まで以上に高めることができ、横レジのばらつき量を測定しなくても１回のシートシフト動作でシートの端面を一定の位置にシフトして横レジを調整した位置で搬送できる。もってシートごとのシフト量を任意に変化可能に、かつ、パンチ穴位置を変更可能とすることで、いろいろな後処理を実現することが可能となる。
【手続補正８】
【補正対象書類名】明細書
【補正対象項目名】００２８
【補正方法】変更
【補正の内容】
【００２８】
次に本実施形態に係る端面検知移動手段、パンチ装置５０２について詳細に説明する。図４はシフト搬送路２２０を上から見た図であり、図を見やすくするために用紙Ｓを透かし状態で示している（後述の図６〜図９も同様）。図４において、５０３は、搬送されてくる用紙Ｓの端面を検知する端面検知手段としての端面検知センサを示す。５００は、端面検知センサ５０３をシフト方向Ｙに移動する端面検知移動手段を示す。端面検知センサ５０３は、端面検知移動手段５００を介してシフト方向Ｙに移動可能に構成されている（請求項２）。
なお、後述する図１６のブロック図において、端面検知センサ５０３は別の例と区別するため便宜的に「第１端面検知センサ５０３」と記載している。
【手続補正９】
【補正対象書類名】明細書
【補正対象項目名】００３０
【補正方法】変更
【補正の内容】
【００３０】
前記した請求項２の例によれば、パンチ（穿孔）を目的の位置（シート幅方向Ｙ）に行うためにパンチ穴位置に合わせた位置に端面検知センサ５０３を移動することにより、横レジ調整のための用紙のシフト量を少なくすることができるので、用紙のシフト時間も少なくなるため生産性を向上できる。また、端面検知センサを少なくでき、パンチ穴位置をシート幅方向Ｙに任意に変えることが可能となる。
【手続補正１０】
【補正対象書類名】明細書
【補正対象項目名】００３１
【補正方法】変更
【補正の内容】
【００３１】
後処理装置２００の本体側における端面検知センサ５０３のホーム位置近傍には、端面検知センサ５０３のホーム位置を検知するホームポジションセンサ５０４が配設されている。ホームポジションセンサ５０４は、発光素子と受光素子とを備えた光透過型のフォトセンサからなり、ホームポジションセンサ５０４がセンサブラケット５０８の紙面奥側に突出した一端部（遮光片）を検知することにより、端面検知センサ５０３のホーム位置、およびホーム位置からの距離がステッピングモータ５０５に付与される制御パルス数または出力されるステップ数により解るようになっている。図４に示す実施形態例では、用紙サイズにより端面検知センサ５０３の位置を同図中破線で示すように移動して用紙のシフト終了位置を決めるようにしている（請求項３）。
【手続補正１１】
【補正対象書類名】明細書
【補正対象項目名】００３２
【補正方法】変更
【補正の内容】
【００３２】
前記した請求項３の例によれば、パンチ穴を常に用紙中心に開けたい場合、用紙（シート）サイズにより用紙の端面検知位置は異なる。端面検知センサ５０３を用紙サイズに応じて移動させることにより、どのサイズでも横レジ調整量、制御を同じにすることができ、横レジ調整のための用紙シフト量を少なくすることができるので生産性を向上できる。また、端面検知センサを少なくすることができ、パンチ穴位置をシート幅方向Ｙに任意に変えることが可能となる。
【手続補正１２】
【補正対象書類名】明細書
【補正対象項目名】００３３
【補正方法】変更
【補正の内容】
【００３３】
用紙サイズにより端面検知センサ５０３の位置を移動せずに、用紙サイズに応じて端面検知センサを複数固定して設ける（請求項４）ことで、端面検知センサを移動する機構を無くすこともできる。端面検知センサを複数設けるとともにさらに移動できる構成にすると、端面検知センサの各用紙サイズに対応した移動距離を少なくすることができる。
後述する図１６のブロック図において、用紙サイズに応じて端面検知センサを複数固定して設けた例としては、移動可能な端面検知センサ５０３と区別するため破線で囲んで示す２つの第１端面検知センサ５０３ａ、第２端面検知センサ５０３ｂが挙げられる。
【手続補正１３】
【補正対象書類名】明細書
【補正対象項目名】００３４
【補正方法】変更
【補正の内容】
【００３４】
前記した請求項４の例によれば、パンチ穴を常に用紙中心に開けたい場合など、用紙サイズにより用紙の端面検知位置は異なる。端面検知センサを用紙サイズなどに応じて複数備えておくことにより、各用紙サイズで使用する端面検知センサを変えて横レジ調整のための用紙シフト量を少なくすることができので、生産性を向上できる。また、端面検知センサの移動機構を無くすこともでき、その構成、制御を簡単にできるとともにコストも低くできる。
【手続補正１４】
【補正対象書類名】明細書
【補正対象項目名】００３７
【補正方法】変更
【補正の内容】
【００３７】
例えば一実施例として画像形成装置１００から搬送される用紙の横レジばらつき範囲が仮に±２ｍｍ以内であるとすると、パンチ装置５０２を用紙受入れセンター位置からシート幅方向Ｙへ２ｍｍ以上ずらした位置に配置している。このようにパンチ装置５０２を用紙受入れセンター位置からずらす位置を、システムの横レジ最大ばらつき以上となる距離の位置に配置すれば、用紙の横レジばらつき量を測定しなくても用紙の端面を一定の位置にシフトして横レジを調整した位置で搬送できる（請求項１）。
【手続補正１５】
【補正対象書類名】明細書
【補正対象項目名】００３８
【補正方法】変更
【補正の内容】
【００３８】
前記した請求項１の例によれば、パンチ装置５０２を、画像形成装置１００から受け取る用紙の基準位置をセンターとした位置からずらした位置に配置・レイアウトすることで、横レジのばらつき量を測定しなくても１回の用紙シフト動作で用紙の端面を一定の位置にシフトして横レジを調整した位置で搬送できる。
【手続補正１６】
【補正対象書類名】明細書
【補正対象項目名】００３９
【補正方法】変更
【補正の内容】
【００３９】
別の実施例として、パンチ装置５０２の用紙受入れセンター位置からのずらす位置を、システムの横レジ最大ばらつき以下となる距離の位置に配置しても用紙シフト制御を変えることで横レジを調整できる。この場合、例えばパンチ装置５０２を１ｍｍシート幅方向Ｙへずらして配置したとすると、横レジ調整前に搬送されてくる用紙の端面が端面検知センサ５０３で検知されない場合は、用紙を端面検知センサ５０３方向へ用紙の端面を検知するまでシフトさせる。横レジ調整前に、搬送されてくる用紙の端面が端面検知センサ５０３で検知される検知位置に搬送されてきた場合は、用紙端面検知センサ５０３から用紙の端面が検知されなくなる位置まで逆方向にシフトさせればよい。この方法では、用紙の横レジ調整のためのシフト移動距離が２ｍｍずらした場合より短縮できる。
【手続補正１７】
【補正対象書類名】明細書
【補正対象項目名】００４０
【補正方法】変更
【補正の内容】
【００４０】
前記した例によれば、用紙の横レジ調整を行う場合に用紙の横レジ調整のためのシフト量はできる限り小さいほうが生産性を高めることができる。用紙の横レジのばらつきは搬送方向と直交する方向でどちら側にずれるかは不明であるので、横レジばらつき範囲外に端面検知手段を移動または配置しておいた上で、端面検知手段の検知位置まで用紙をシフトすれば横レジ位置を一定の位置に調整できるが、横レジ調整距離は大きくなる。端面検知手段を用紙の端面のばらつき分布の中心付近に配置しておき、横レジばらつき方向により搬送されてくる用紙の端面を端面検知手段が検知している場合は端面検知手段がオフ（ＯＦＦ）する方向へ端面検知手段がオフ（ＯＦＦ）する位置までシフトする。搬送されてくる用紙の端面を端面検知手段が検知していない場合は端面検知手段がオン（ＯＮ）する方向へ端面検知手段がオン（ＯＮ）する位置までシフトすることで少ないシフト量で用紙横レジを調整でき生産性を高めることができるとともに１回のシフト動作で横レジ調整を行うことができる。
【手続補正１８】
【補正対象書類名】明細書
【補正対象項目名】００４１
【補正方法】変更
【補正の内容】
【００４１】
図４、図６〜図９において、実線で示すパンチ穴５０９は、画像形成装置１００から受け取る用紙の基準位置をセンターとした位置にパンチ装置５０２を配置して２箇所に穿孔する場合を表しており、破線で示すパンチ穴５０９は画像形成装置１００から受け取る用紙のセンター位置からずらした位置にパンチ装置５０２を配置して（請求項１）２箇所に穿孔する場合を表している。
図４、図６、図７は、搬送（入口）コロ２０４のニップを用紙Ｓの後端が抜けた時点でシフトコロ２０２、２０３の両方に用紙が跨るような大サイズ用紙において用紙Ｓのセンターを基準にパンチ穿孔するときの動作を示している。
図４に示すように、用紙Ｓが画像形成装置から搬送されてきて、搬送コロ２０４のニップを用紙Ｓの後端が抜けた時点（図６）でシフトコロ２０２、２０３を同期してシフト動作させて実線で示す端面検知センサ５０３で検知するところまで用紙Ｓを移動する。用紙Ｓのシフトが完了したらそのまま用紙Ｓを搬送していき、用紙がパンチ穿孔位置にきた位置（図７）でパンチ・穿孔を行う。
【手続補正１９】
【補正対象書類名】明細書
【補正対象項目名】００４４
【補正方法】変更
【補正の内容】
【００４４】
図９に示すように、用紙Ｓが小サイズの例であるＡ４縦サイズである場合には、横レジを調整した位置でパンチ穴の横レジが狙いの位置にくるようにパンチ装置５０２を配置・レイアウトしている（請求項１）。このようにパンチ装置５０２を用紙受入れセンター位置からシフト（シート幅方向）Ｙへずらして配置しておけば、シフトコロ２０３による１回のシフト動作による用紙Ｓのシフト・移動で横レジ調整し、そのままの横レジ位置でパンチ処理が行える利点がある。上述したように、例えばシート搬送方向Ｘの用紙サイズが長く（大サイズ用紙）、シフトコロ２０３，２０２の両方に跨る場合は、図４、図６および図７に示すように、複数のシフトコロ２０３，２０２を同期させてシフト動作を行う。
【手続補正２０】
【補正対象書類名】明細書
【補正対象項目名】００４５
【補正方法】変更
【補正の内容】
【００４５】
図１において、画像形成装置１００より排出された用紙は後処理装置２００の入口ガイド板２０１を通り、搬送コロ２０４によって後処理装置２００内に搬入される。用紙の後端が搬送コロ２０４を通過したならば、すなわち搬送コロ２０４の上流近傍に配設されている入口センサ５０１からのオフ信号、搬送コロ２０４を駆動するステッピングモータからなる搬送モータのステップ数（もしくはパルス数）により後述する制御手段によって用紙の後端の通過が判断されたならば、用紙を搬送しながらシフトコロ２０３をシフト方向（シート幅方向）Ｙへ移動し、用紙の端面が端面検知センサ５０３により検知される検知位置に達した位置で、シフトコロ２０３をシフトすべく駆動しているステッピングモータからなるシフトモータ６２１を停止する（請求項５）。端面検知センサ５０３の検知位置でシフトモータ６２１を即時停止した場合にモータ停止位置がばらつくことを防ぐ目的で前記検知位置からシフトモータ６２１の停止制御を行い、前記検知位置から少しずらした位置で停止する制御としてもよい（請求項６）。用紙を仕分けるための用紙シフト量は一般的に数１０ｍｍであるが、用紙の横レジ調整のための用紙のシフト量は数ｍｍ程度であるため、シフト時間は短時間で行うことができ、生産性に影響を与えずに行える。
【手続補正２１】
【補正対象書類名】明細書
【補正対象項目名】００４６
【補正方法】変更
【補正の内容】
【００４６】
前記した請求項６の例によれば、用紙（シート）の横レジ調整を行う場合、端面検知センサ５０３が用紙の端面を検知した検知位置で移動手段６２４，６２５のシフトモータ６２０，６２１（駆動手段）を即時駆動停止した場合にオーバーランなどで用紙の停止位置がばらつくことがある。そこで、端面検知センサ５０３により用紙の端面が検知される検知位置からの減速停止させる制御を行うことによって、オーバーランなどによる用紙シフト停止時のばらつきを小さくでき、横レジ調整位置精度を向上させることができる。
【手続補正２２】
【補正対象書類名】明細書
【補正対象項目名】００４７
【補正方法】変更
【補正の内容】
【００４７】
次に、用紙１枚または複数枚ごとにパンチ穴をずらして開けるモードについて説明する（請求項１１）。任意のページまたは用紙束Ｓａごとにずらしてパンチ穴５０９を開けたい場合は、前記のように端面検知センサ５０３で用紙Ｓの端面を検知した後、パンチ穴５０９をずらす分だけシフト量を増やせばよい。このように制御することにより、図１３に示すように、同じサイズの用紙を用紙束Ｓａごとに仕分けしてパンチ穴を開け、パンチ穴位置を合わせた状態で用紙束Ｓａをずらして仕分けページ、区切り、インデックスを作成するなどの機能を排紙トレイに持たせることができる。
また、図１４に示すように、同じサイズの用紙を用紙束Ｓａごとに仕分けしてパンチ穴を開け、パンチ穴をずらしているので前記の区切りなどを作成した状態でファイルもでき、タブ紙、インデックス紙などの特殊紙を使用しなくても識別できる。
【手続補正２３】
【補正対象書類名】明細書
【補正対象項目名】００４８
【補正方法】変更
【補正の内容】
【００４８】
前記した請求項１１の例によれば、用紙の後処理モードにより用紙のシフト量を変えて穿孔手段により穿孔することによって、様々な形態での用紙の仕分けのための仕切りページ、目印などを作成することができ、仕切り、区切りをつけた状態でファイルもできる。
【手続補正２４】
【補正対象書類名】明細書
【補正対象項目名】００４９
【補正方法】変更
【補正の内容】
【００４９】
さらに、図１５に示すように、用紙サイズによりパンチ穴位置をずらせば、異なったサイズの１つの端面を揃えてファイルすることもできるようになる（請求項１２）。同図において、Ｓａは同じサイズの用紙束を、Ｓａ’は異なるサイズの用紙束をそれぞれ示している（後述の図１２も同じ）。
前記した請求項１２の例によれば、用紙サイズにより用紙のシフト量を変えて穿孔することで、例えば異サイズ混載時の用紙の横レジ端面位置を揃えた状態でファイルすることができる。
【手続補正２５】
【補正対象書類名】明細書
【補正対象項目名】００５０
【補正方法】変更
【補正の内容】
【００５０】
前記の横レジ調整制御では、パンチ装置５０２を用紙受入れセンター位置を中心とした位置に配置してもよい。換言すれば、画像形成装置１００から受け取る用紙の基準位置をセンターとした位置にパンチ装置５０２を配置してもよい。
このように、用紙の横レジ調整を行う場合に用紙の横レジ調整のためのシフト量はできる限り小さいほうが生産性を高めることができる。用紙の横レジのばらつきはシート幅方向（シフト方向）Ｙのどちら側にずれるかは不明である。
そこで、上述した例のように、画像形成装置１００から受け取る用紙の基準位置をセンターとした位置からずらした位置にパンチ装置５０２を配置、すなわち横レジばらつき範囲外にレイアウトした場合は、横レジ調整距離は大きくなってしまう。本例のように、パンチ装置５０２を配置すれば請求項１と同様に少ないシフト量で用紙横レジを調整でき生産性を高めることができる。
前記制御に加えて請求項５の制御を行うことにより、１回のシフト動作で横レジ調整を行うことができることで、パンチ装置５０２の横レジ調整移動機構を無くすことができ、従来技術より構成・構造を簡単にできる。
【手続補正２６】
【補正対象書類名】明細書
【補正対象項目名】００５１
【補正方法】変更
【補正の内容】
【００５１】
前記制御を補説する。画像形成装置１００から搬送される用紙を受け入れてシフトコロ２０３でシフト動作を行い、端面検知センサ５０３の前記検知位置で用紙を停止するまでは同じ制御である。この時に用紙の端面が端面検知センサ５０３で検知される検知位置、または停止位置までのシフトモータ６２１のステップ数またはパルス数（移動距離）を制御手段のＲＡＭで記憶しておくことにより、用紙ごとの横レジばらつき量を制御手段のＣＰＵが認識することができる。用紙のシフトを一旦停止した後、次に用紙をシフトコロ２０２で今度は逆方向へシフトさせて用紙の横レジばらつき量を補正して用紙を搬送センター位置中心まで移動させてシフトを停止する（請求項７）。以上の制御で用紙の横レジ調整のばらつき補正のためのシフト動作は終了し、続いて用紙にパンチ・穿孔処理が行われる。用紙へのパンチ・穿孔位置は画像形成装置１００から搬送される用紙の先端または後端を入口センサ５０１で検知した位置からの図示しない搬送モータ（搬送コロ２０４の駆動手段）のパルス数により、パンチ・穿孔するタイミングをとることにより搬送方向のパンチ位置を制御するようにしている。
【手続補正２７】
【補正対象書類名】明細書
【補正対象項目名】００５２
【補正方法】変更
【補正の内容】
【００５２】
前記した請求項７の例によれば、用紙の横レジ調整を行う場合、検知位置まで用紙を移動させた距離を記憶して、横レジのずれ量を調整補正することでどのような用紙サイズでも任意の位置に用紙横レジを調整でき、パンチ穴位置精度を高めることができる。
【手続補正２８】
【補正対象書類名】明細書
【補正対象項目名】００５３
【補正方法】変更
【補正の内容】
【００５３】
用紙へのパンチ処理後、用紙の仕分けモードが同時に選択されている場合は、パンチ穿孔終了後にシフトコロ２０２、２０３を再度シフトさせて仕分け処理を行うことができるようにしている（請求項８）。
パンチ・穿孔の前に用紙の仕分けを行ってしまうと、パンチ穴を同じ位置に開けることができない。そこで、請求項８の例のようにシフトを複数回行うことで、横レジ調整と用紙の仕分けを１つのコロシフト機構（移動手段）で行うことができ、パンチ装置５０２の横レジ調整のための駆動を無くすことができる。
実施例では用紙のシフトは複数のシフトコロ２０２、２０３のどちらでも行える。パンチ終了後にシフトコロ２０２、２０３を同期させて用紙をシフトさせても良いし、用紙の後端が上流側のシフトコロ２０３を抜けた後のタイミングでシフトコロ２０２のみで行う制御も可能である。シフト中に用紙がシフトコロ２０２と排紙コロ２０５に跨ってしまうサイズの場合には、用紙をシフトコロ２０２でシフト移動するために開閉ガイド板２３３が上側に開き、用紙はシフトコロ２０２によりシフト・移動する。用紙にパンチ処理を行わずにシフトさせるだけの場合は搬送コロ２０４を抜けた後、前記と同様の制御でシフトすることができる。
【手続補正２９】
【補正対象書類名】明細書
【補正対象項目名】００５４
【補正方法】変更
【補正の内容】
【００５４】
前記した請求項８の例によれば、用紙のモード、例えばパンチ、仕分けにより移動手段としてのコロシフト機構を利用してパンチ・穿孔の横レジ調整のためのシフトと用紙仕分けのためのシフトのように複数回に分けてシフト動作させることにより、従来技術のようなパンチ装置５０２の横レジ調整移動機構を無くすことができ、従来技術より構成・構造を簡単にできる。
【手続補正３０】
【補正対象書類名】明細書
【補正対象項目名】００５５
【補正方法】変更
【補正の内容】
【００５５】
次に、用紙１枚または複数枚ごとに仕分けのためのシフト量を変える後処理モードについて説明する（請求項９）。図１０に示すように、同じ用紙サイズの任意のページまたは用紙束Ｓａごとにシフト量をずらしたい場合は、前記のように端面検知センサ５０３で用紙Ｓの端面を検知した後、ずらす分だけシフト量を増やせばよい。このように制御することにより、図１１に示すように、同じサイズの用紙で途中の例えば１枚のみ（複数枚でも可）用紙のシフト量を変えることができる。これにより、ページの区切りをしたり、タブ紙、インデックス紙などの機能を排紙トレイ２１８に持たせることができ、様々な形態での用紙の仕分けのための仕切りページ、目印などを作成することができるため、タブ紙、インデックス紙などの特殊紙を使用しなくても識別できる。
さらに図１２に示すように、用紙サイズによりシフト量を変えれば、異なるサイズの用紙を用紙束Ｓａ’ごとに仕分けし、片側の端面を揃えたいような場合に、その異なるサイズの１つの端面を揃えて仕分けすることもできるようになるため、例えば異サイズ混載時の用紙の横レジ端面位置を揃える機能などを排紙トレイ２１８に持たせることができる（請求項１０）。
【手続補正３１】
【補正対象書類名】明細書
【補正対象項目名】００５８
【補正方法】変更
【補正の内容】
【００５８】
制御手段としてのＣＰＵ２９１は、前述した実施形態例で説明したとおり、以下の諸機能を有する。
（１）ＣＰＵ２９１は、画像形成装置１００から搬送されてくる用紙（シート）の端面が端面検知センサ５０３で検知される検知位置までシフトして搬送するように各搬送手段の各搬送モータ６２２，６２３および移動手段６２４，６２５のシフトモータ６２０，６２１を制御し、かつ、穿孔処理を含む後処理を行うように後処理手段（パンチ装置５０２のパンチモータ５０２Ｍ）を制御するシフト制御を実行する第１の制御手段としての機能を有する（請求項１）。
（２）ＣＰＵ２９１は、ホームポジションセンサ５０４からの出力信号を参照しながら、端面検知センサ５０３を検知位置まで移動するように端面検知移動手段５００の端面検知センサ用駆動モータ（ステッピングモータ）５０５を制御する第２の制御手段としての機能を有する（請求項２）。
（３）ＣＰＵ２９１は、ホームポジションセンサ５０４からの出力信号を参照しながら、用紙サイズに応じて端面検知センサ５０３の移動位置を変えるように端面検知移動手段５００の端面検知センサ用駆動モータ（ステッピングモータ）５０５を制御する第２の制御手段としての機能を有する（請求項３）。
【手続補正３２】
【補正対象書類名】明細書
【補正対象項目名】００５９
【補正方法】変更
【補正の内容】
【００５９】
（４）ＣＰＵ２９１は、画像形成装置１００から搬送されてくるシートを端面検知センサ５０３の検知位置まで、または端面検知センサ５０３の検知位置から外れる位置までシフトするように移動手段６２４，６２５のシフトモータ６２０，６２１を制御する第１の制御手段としての機能を有する（請求項５）。
（５）ＣＰＵ２９１は、画像形成装置１００から搬送されてくるシートを端面検知センサ５０３の検知位置からシート幅方向Ｙへ任意の距離移動させた位置までシフトするように各搬送手段の各搬送モータ６２２，６２３および移動手段６２４，６２５のシフトモータ６２０，６２１を制御する第１の制御手段としての機能を有する（請求項６）。
【手続補正３３】
【補正対象書類名】明細書
【補正対象項目名】００６０
【補正方法】変更
【補正の内容】
【００６０】
（６）ＣＰＵ２９１は、記憶手段としてのＲＡＭ２９３に記憶されているシート移動距離情報・データ（画像形成装置１００から搬送されてくるシートを端面検知センサ５０３の検知位置まで、または端面検知センサ５０３の検知位置から外れる位置まで移動手段６２４，６２５により移動されたシート移動距離データに係るシフトモータ６２０，６２１の各ステップ数あるいはパルス数）に基づいて、シート幅方向Ｙの用紙のばらつきを認識して該用紙のシート幅方向Ｙのシフト補正量を決定し、用紙の検知位置または該検知位置から外れた位置から任意のシート移動距離移動した位置までシフト・移動するように各搬送手段の各搬送モータ６２２，６２３および移動手段６２４，６２５のシフトモータ６２０，６２１を制御する第１の制御手段としての機能を有する（請求項７）。
（７）ＣＰＵ２９１は、画像形成装置１００から送信されてくる操作部（図示せず）等により設定された後処理モードに係る信号に応じて、前記シフト制御を複数回行う第１の制御手段としての機能を有する（請求項８）。
【手続補正３４】
【補正対象書類名】明細書
【補正対象項目名】００６１
【補正方法】変更
【補正の内容】
【００６１】
（８）ＣＰＵ２９１は、画像形成装置１００から送信されてくる操作部（図示せず）等により設定された後処理モードに係る信号に応じて、用紙１枚ごとまたは用紙の複数枚ごとに前記シフト量を変えるように各搬送手段の各搬送モータ６２２，６２３および移動手段６２４，６２５のシフトモータ６２０，６２１を制御する第１の制御手段としての機能を有する（請求項９）。
（９）ＣＰＵ２９１は、画像形成装置１００から送信されてくる操作部（図示せず）等により設定された後処理モードに係る信号に応じて、用紙サイズに応じて前記シフト量を変えるように各搬送手段の各搬送モータ６２２，６２３および移動手段６２４，６２５のシフトモータ６２０，６２１を制御する第１の制御手段としての機能を有する（請求項１０）。
【手続補正３５】
【補正対象書類名】明細書
【補正対象項目名】００６２
【補正方法】変更
【補正の内容】
【００６２】
（１０）ＣＰＵ２９１は、画像形成装置１００から送信されてくる操作部（図示せず）等により設定された後処理モードとしての穿孔処理モードに係る信号に基づいて、シート幅方向Ｙの穿孔位置を変えるように各搬送手段の各搬送モータ６２２，６２３、移動手段６２４，６２５のシフトモータ６２０，６２１およびパンチモータ５０２Ｍを制御する第１の制御手段としての機能を有する（請求項１１）。
（１１）ＣＰＵ２９１は、画像形成装置１００から送信されてくる操作部（図示せず）等により設定された後処理モードとしての穿孔処理モードに係る信号および用紙サイズに係る信号に基づいて、シート幅方向Ｙの穿孔位置を変えるように各搬送手段の各搬送モータ６２２，６２３、移動手段６２４，６２５のシフトモータ６２０，６２１およびパンチモータ５０２Ｍを制御する第１の制御手段としての機能を有する（請求項１２）。
【手続補正３６】
【補正対象書類名】特許請求の範囲
【補正対象項目名】全文
【補正方法】変更
【補正の内容】
【特許請求の範囲】
【請求項１】
画像形成装置から受け取ったシートを搬送する搬送手段と、
搬送されてくるシートの端面を検知する端面検知手段と、
シート搬送方向と直交するシート幅方向へシートをシフト・移動する移動手段と、
後処理としてシートに穿孔処理を行う穿孔手段を含む後処理手段とを備えた後処理装置において、
前記画像形成装置から受け取るシートの前記シート幅方向の基準位置をセンターとした位置から前記シート幅方向のシート位置の最大ばらつき以上となる距離ずらした位置に、前記穿孔手段を配置し、
搬送されてくるシートの端面が前記端面検知手段で検知される検知位置までシフトして搬送し、前記後処理を行うことを特徴とする後処理装置。
【請求項２】
請求項１記載の後処理装置において、
前記端面検知手段を前記シート幅方向に移動する端面検知移動手段を有し、
前記端面検知移動手段を介して、前記端面検知手段を前記検知位置まで移動することを特徴とする後処理装置。
【請求項３】
請求項２記載の後処理装置において、
シートサイズに応じて前記端面検知手段の移動位置を変えることを特徴とする後処理装置。
【請求項４】
請求項１または２記載の後処理装置において、
前記端面検知手段を複数のシートの端面の検知位置に応じて複数備えていることを特徴とする後処理装置。
【請求項５】
請求項２または４記載の後処理装置において、
搬送されてくるシートを前記検知位置までシフトすることを特徴とする後処理装置。
【請求項６】
請求項２または４記載の後処理装置において、
搬送されてくるシートを前記検知位置から前記シート幅方向へ任意の距離移動させた位置までシフトすることを特徴とする後処理装置。
【請求項７】
請求項１記載の後処理装置において、
搬送されてくるシートの前記検知位置まで前記移動手段により移動されたシート移動距離を記憶する記憶手段を有し、
前記記憶手段からの前記シート移動距離に係る情報に基づいて、シートの前記検知位置までシフトすることを特徴とする後処理装置。
【請求項８】
請求項１記載の後処理装置において、
シートに各種後処理を実行するための後処理モードに応じて前記シフトを複数回行うことを特徴とする後処理装置。
【請求項９】
請求項１ないし８の何れか一つに記載の後処理装置において、
シートに各種後処理を実行するための後処理モードにより、シート１枚ごとまたはシート複数枚ごとに前記シフト量を変えることを特徴とする後処理装置。
【請求項１０】
請求項１ないし９の何れか一つに記載の後処理装置において、
シートのサイズに応じて前記シフト量を変えることを特徴とする後処理装置。
【請求項１１】
請求項１ないし１０の何れか一つに記載の後処理装置において、
前記後処理として前記穿孔処理を実行する穿孔処理モードが選択された場合、前記シート幅方向の穿孔位置を変えることを特徴とする後処理装置。
【請求項１２】
請求項１ないし１１の何れか一つに記載の後処理装置において、
シートのサイズに応じて前記穿孔手段による前記シート幅方向の穿孔位置を変えることを特徴とする後処理装置。
【請求項１３】
請求項１ないし１２の何れか一つに記載の後処理装置を備えていることを特徴とする画像形成装置。